(57)【要約】【課題】  簡易な構成により魚を容易且つ確実に挟持することができるフィッシュグリップを提供する。【解決手段】  ばね部材４０の付勢力に抗した把持部２６，３６の操作により挟持部２４，３４間を拡げることが可能なフィッシュグリップ１であって、ベース部材１０に回動軸１０２を介して回動可能に支持されたロック部材１００を備えており、ロック部材１００は、一対の挟持部材２０，３０間に介在し得る介在部１１０と、回動操作を行えるようにベース部材１０から露出する操作部１２０とを備え、介在部１１０は、ロック部材１００が規制位置にあるときに、一対の挟持部材２０，３０とそれぞれ当接して嵌合する一対の嵌合部１１２，１１４を有しており、ロック部材１００が規制位置から回動することにより、一対の嵌合部１１２，１１４が一対の挟持部材２０，３０からそれぞれ離隔して、一対の挟持部材２０，３０と介在部１１０との間に隙間が生じる。【選択図】  図１
0003172085.tif 000002
【実用新案登録請求の範囲】
【請求項１】
ベース部材と、前記ベース部材に回動軸を介して回動可能に支持された一対の挟持部材と、一対の前記挟持部材間に付勢力を生じさせるばね部材とを備え、
一対の前記挟持部材は、それぞれ前記回動軸を挟んで両側に挟持部および把持部を備えており、
前記ばね部材の付勢力により前記挟持部間が閉じられると共に、前記付勢力に抗した前記把持部の操作により前記挟持部間を拡げることが可能なフィッシュグリップであって、
前記ベース部材に回動軸を介して回動可能に支持されたロック部材を更に備えており、
前記ロック部材は、一対の前記挟持部材間に介在し得る介在部と、回動操作を行えるように前記ベース部材から露出する操作部とを備え、
前記介在部は、前記ロック部材が規制位置にあるときに、一対の前記挟持部材とそれぞれ当接して嵌合する一対の嵌合部を有しており、
前記ロック部材が規制位置から回動することにより、一対の前記嵌合部が一対の前記挟持部材からそれぞれ離隔して、一対の前記挟持部材と前記介在部との間に隙間が生じるように構成されたフィッシュグリップ。
【請求項２】
一対の前記嵌合部は、一方が凸状に形成され、他方が凹状に形成されている請求項１に記載のフィッシュグリップ。
【請求項３】
前記操作部は、前記ロック部材が規制位置にあるときに、前記ロック部材の回動軸を挟んで一対の前記挟持部材の挟持部と正反対の位置に配置される請求項１または２に記載のフィッシュグリップ。
【考案の詳細な説明】
【技術分野】
【０００１】
本考案は、魚の口を挟持するフィッシュグリップに関する。
【背景技術】
【０００２】
釣り上げた魚から釣針を外す等の作業を容易にするため、魚の下顎を挟んで持ち上げることができるフィッシュグリップが従来から知られている。例えば、特許文献１に開示されたフィッシュグリップは、図４に示すように、受け部材５１および挟持部材５２がピン部材５３を中心として回動可能となるように構成されており、受け部材５１および挟持部材５２の先端部５１ａ，５２ａで魚６０の下顎を挟持することができる。受け部材５１には、連続した山部および谷部からなるロックピン係止部５４が設けられ、挟持部材５２には、ロックピン挿入孔５５が形成されており、魚６０を挟持した後にロックピン挿入孔５５にロックピンを挿入することで、ロックピンがロックピン係止部５４に係止され、魚６０を挟持した状態を保持することができる。
【先行技術文献】
【特許文献】
【０００３】
【特許文献１】特開２００２−４５０９８号公報
【考案の概要】
【考案が解決しようとする課題】
【０００４】
ところが、上記従来のフィッシュグリップは、受け部材５１および挟持部材５２の回動を規制するためのロックピンの挿入が煩雑で細かい作業になることから、魚が暴れた場合にはロックピンの挿入に時間がかかるだけでなく、その間に魚を落としてしまうおそれもあった。
【０００５】
そこで、本考案は、簡易な構成により魚を容易且つ確実に挟持することができるフィッシュグリップの提供を目的とする。
【課題を解決するための手段】
【０００６】
本考案の前記目的は、ベース部材と、前記ベース部材に回動軸を介して回動可能に支持された一対の挟持部材と、一対の前記挟持部材間に付勢力を生じさせるばね部材とを備え、  一対の前記挟持部材は、それぞれ前記回動軸を挟んで両側に挟持部および把持部を備えており、前記ばね部材の付勢力により前記挟持部間が閉じられると共に、前記付勢力に抗した前記把持部の操作により前記挟持部間を拡げることが可能なフィッシュグリップであって、前記ベース部材に回動軸を介して回動可能に支持されたロック部材を更に備えており、  前記ロック部材は、一対の前記挟持部材間に介在し得る介在部と、回動操作を行えるように前記ベース部材から露出する操作部とを備え、前記介在部は、前記ロック部材が規制位置にあるときに、一対の前記挟持部材とそれぞれ当接して嵌合する一対の嵌合部を有しており、前記ロック部材が規制位置から回動することにより、一対の前記嵌合部が一対の前記挟持部材からそれぞれ離隔して、一対の前記挟持部材と前記介在部との間に隙間が生じるように構成されたフィッシュグリップにより達成される。
【０００７】
このフィッシュグリップにおいて、一対の前記嵌合部は、一方が凸状に形成され、他方が凹状に形成されていることが好ましい。
【０００８】
また、前記操作部は、前記ロック部材が規制位置にあるときに、前記ロック部材の回動軸を挟んで一対の前記挟持部材の挟持部と正反対の位置に配置されることが好ましい。
【考案の効果】
【０００９】
本考案のフィッシュグリップによれば、簡易な構成により魚を容易且つ確実に挟持することができる。
【図面の簡単な説明】
【００１０】
【図１】本考案の一実施形態に係るフィッシュグリップを一部破断して示す平面図であり、ロック状態を示している。
【図２】図１に示すフィッシュグリップのロック解除状態を示す平面図である。
【図３】図１に示すフィッシュグリップの開放状態を示す平面図である。
【図４】従来のフィッシュグリップにより魚を挟持した状態を示す図である。
【考案を実施するための形態】
【００１１】
以下、本考案の一実施形態について添付図面を参照しつつ説明する。図１は、本考案の一実施形態に係るフィッシュグリップを一部破断して示す平面図である。図１に示すように、フィッシュグリップ１は、ベース部材１０と、一対の挟持部材２０，３０と、ばね部材４０とを備えている。
【００１２】
ベース部材１０は、平板状の上板１２および下板１４を備えており、これら上板１２と下板１４との間に、一対の挟持部材２０，３０およびばね部材４０が配置されている。図１においては、上板１２の一部を切り欠くことにより、一対の挟持部材２０，３０およびばね部材４０を露出させた状態で示している。
【００１３】
一対の挟持部材２０，３０は、それぞれ回動軸２２，３２を介して、上板１２および下板１４に回動可能に支持されている。回動軸２２，３２を挟んで両側には、挟持部２４，３４および把持部２６，３６がそれぞれ形成されており、挟持部２４，３４および把持部２６，３６は、ベース部材１０の側方に突出している。一対の挟持部材２０，３０が互いに接触する箇所には、両者の位置関係を保持するための係合部２８，３８が設けられている。
【００１４】
ばね部材４０は、ねじりばね４２の両端にスプリングガイド４４，４６を挿入して構成されており、スプリングガイド４４，４６が一対の挟持部材２０，３０にそれぞれ係合することで、一対の挟持部材２０，３０には、挟持部２４，３４を閉じる方向への付勢力が作用する。
【００１５】
また、本実施形態のフィッシュグリップ１は、一対の挟持部材２０，３０が閉じた状態を維持するためのロック部材１００を更に備えている。ロック部材１００は、回動軸１０２を介して上板１２および下板１４に回動可能に支持されており、回動軸１０２を挟んで両側に、介在部１１０および操作部１２０を備えている。
【００１６】
介在部１１０は、ロック部材１００の回動に伴い、一対の挟持部材２０，３０間に介在し得るように形成されている。介在部１１０の周縁には、一対の嵌合部１１２，１１４が設けられており、各嵌合部１１２，１１４は、閉じた状態にある一対の挟持部材２０，３０にそれぞれ当接して嵌合する。一対の嵌合部１１２，１１４の形状は特に限定されないが、本実施形態においては、一方の嵌合部１１２を凸状に形成する一方、他方の嵌合部１１４を凹状に形成しており、一対の挟持部材２０，３０にそれぞれ形成された凹部２６ａおよび凸部３６ａに、一対の嵌合部１１２，１１４が嵌合するように構成されている。
【００１７】
操作部１２０は、中央に指を挿入可能な開口１２２が形成されており、ベース部材１０の側方に露出している。
【００１８】
上記の構成を備えるフィッシュグリップ１は、釣り上げた魚の下顎等の被挟持物ｐを挟持部２４，３４間に把持した後、ロック部材１００が図１に示す規制位置まで移動するように、操作部１２０を破線で示す位置から矢示Ａ方向に回動させることにより、一対の嵌合部１１２，１１４を、一対の挟持部材２０，３０の凹部２６ａおよび凸部３６ａにそれぞれ嵌合させる。これにより、一対の挟持部材２０，３０が回動不能となるロック状態になるため、挟持した魚が暴れても挟持部２４，３４の間が開くおそれがなく、魚を確実に保持することができる。図１に示すように、ロック部材１００がロック状態にあるときは、回動軸１０２を挟んで挟持部２４，３４と正反対の位置に、操作部１２０が配置される。
【００１９】
魚から釣針を外す等の作業が終了した後は、図２に示すように、ロック部材１００の操作部１２０を矢示Ｂ方向に回動させ、ロック部材１００を規制位置から退避させる。これにより、一対の嵌合部１１２，１１４がそれぞれ一対の挟持部材２０，３０から離隔して、一対の挟持部材２０，３０と介在部１１０との間に隙間Ｓ１，Ｓ２が形成され、ロック状態が解除される。
【００２０】
この後、図３に示すように、把持部２６，３６を片手で握る等して矢示Ｃ方向に押圧し、一対の挟持部材２０，３０をばね部材４０の付勢力に抗して回動させることにより、挟持部２４，３４を矢示Ｄ方向に開くことができ、魚等の被挟持物を挟持部２４，３４から取り外して回収することができる。介在部１１０は、図３に示す状態においては、一対の嵌合部１１２，１１４以外の部分が一対の挟持部材２０，３０に当接して挟持部２４，３４の開き幅を制限するため、この部分の形状を、強度を維持しつつ必要な開き幅を確保できるように形成することが好ましい。
【００２１】
本実施形態のフィッシュグリップ１によれば、ロック部材１００を回動させることにより、一対の嵌合部１１２，１１４がそれぞれ一対の挟持部材２０，３０に嵌合するため、ロック部材１００を規制位置に確実に保持することができ、ロック状態が不意に解除されるのを防止することができる。また、ロック部材１００が規制位置にある状態では、一対の挟持部材２０，３０と介在部１１０との間に隙間が生じないため、一対の挟持部材２０，３０が回動するおそれがない。したがって、簡易な構成により魚を容易且つ確実に挟持することができる。
【００２２】
また、本実施形態においては、一対の嵌合部１１２，１１４がそれぞれ凸状および凹状に形成されているため、ロック状態を容易に維持できるだけでなく、操作部１２０の回動操作により、一対の嵌合部１１２，１１４を一対の挟持部材２０，３０からスムーズに離隔させることができるので、一連の作業を迅速容易に行うことができる。
【００２３】
また、本実施形態においては、ロック部材１００が規制位置にあるときに、ロック部材１００の回動軸１０２を挟んで挟持部２４，３４と正反対の位置に操作部１２０が位置するため、ロック状態を目視により容易に確認できると共に、操作部１２０を把持して魚を持ち上げた場合に、魚の自重でロック状態を確実に保持することができる。
【符号の説明】
【００２４】
１  フィッシュグリップ
１０  ベース部材
２０，３０  挟持部材
２２，３２  回動軸
２４，３４  挟持部
２６，３６  把持部
１００  ロック部材
１０２  回動部
１１０  介在部
１１２，１１４  嵌合部
１２０  操作部
【図１】
0003172085.tif 000003
【図２】
0003172085.tif 000004
【図３】
0003172085.tif 000005
【図４】
0003172085.tif 000006